(57)【要約】【課題】手差しトレイの用紙サイズの設定を変更せずに定形外サイズの原稿を、同じ定形外サイズの用紙に正確に画像形成可能にする。【解決手段】画像形成装置１は、原稿載置ガラス１６１の隅に角を合わせて載置された原稿Ｄの画像を読み取る原稿読取部５と、用紙Ｐが用紙搬送方向に対する幅方向の中央揃えで載置される手差しトレイ１４１と、画像形成部１２と、手差しトレイ１４１上に載置された用紙Ｐの幅方向中央部を画像形成領域の幅方向中央部に揃えて搬送する用紙搬送部と、原稿載置ガラス１６１上の原稿Ｄのサイズを検知する原稿サイズ検知部１０１と、検知された原稿サイズと同じ読取サイズで原稿読取部５に原稿Ｄを読み取らせる原稿サイズ読取動作を行わせ、当該読取で得られた画像を用紙Ｐに対して、当該用紙Ｐと幅方向端部を揃えて画像形成部１２に画像形成させる制御部とを備える。【選択図】図４
2016127400.tif 000002
【特許請求の範囲】
【請求項１】
原稿載置ガラスの隅に角を合わせて載置された原稿の画像を光学的に読み取る原稿読取部と、
用紙が用紙搬送方向に対する幅方向における中央揃えで載置可能とされている手差しトレイと、
前記手差しトレイから給紙された用紙に前記画像のトナー像を形成する画像形成動作を行う画像形成部と、
前記手差しトレイ上に載置された前記用紙の前記幅方向中央部を、前記画像形成部により画像形成が行われる領域の前記幅方向中央部に揃えて搬送する用紙搬送部と、
前記原稿読取部による読み取り信号に基づいて、前記原稿載置ガラスに載置された原稿の原稿サイズを検知する原稿サイズ検知部と、
前記原稿サイズ検知部によって検知された原稿サイズと同じ読取サイズで前記原稿読取部に前記原稿を読み取らせる原稿サイズ読取動作を行わせ、当該読取で得られた画像を、前記用紙搬送部によって搬送されてくる前記用紙に対して、当該用紙と前記幅方向端部を揃えて、前記画像形成部に画像形成させる制御部と、を備えた画像形成装置。
【請求項２】
前記制御部は、前記原稿サイズ検知部によって検知された原稿サイズが定型サイズである場合に、当該検知された原稿サイズと同じ読取サイズで前記原稿読取部に前記原稿を読み取らせる前記原稿サイズ読取動作を行わせる請求項１に記載の画像形成装置。
【請求項３】
前記原稿サイズ読取動作を行わせるか否かを切り換える設定切換部を更に備え、
前記制御部は、前記設定切換部が前記原稿サイズ読取動作を行わせる設定としている場合には、前記画像形成部にコピー動作の実行を許可し、プリンター動作及びファクシミリ動作を禁止する請求項１又は請求項２に記載の画像形成装置。
【請求項４】
複数の給紙元から、用紙切れ時の代替給紙元としての給紙元の指定を受け付ける代替給紙元受付部を更に備え、
前記制御部は、前記代替給紙元受付部により前記手差しトレイが前記代替給紙元として受け付けられており、前記画像形成動作時に当該代替給紙元が用いられる場合には、前記原稿読取部に前記原稿サイズ読取動作を行わせる請求項１乃至請求項３のいずれかに記載の画像形成装置。
【請求項５】
前記制御部は、前記設定切換部が前記原稿サイズ読取動作を行わせる設定としている場合には、前記画像形成部への給紙元を前記手差しトレイに切り換える請求項１乃至請求項４のいずれかに記載の画像形成装置。
【請求項６】
給紙される用紙の大きさに合わせた自動変倍処理を実行する画像処理部を更に備え、
前記制御部は、前記原稿サイズ読取動作、又は、前記画像処理部による前記自動変倍処理のいずれかを排他的に実行する請求項１乃至請求項５のいずれかに記載の画像形成装置。
【請求項７】
前記手差しトレイは用紙サイズを検知する機能を有しており、
各種情報を表示する表示部を更に備え、
前記制御部は、前記原稿サイズ検知部によって検知された原稿サイズと前記手差しトレイで検知された用紙サイズとが異なる場合には、前記表示部に警告を表示させる請求項１乃至請求項６のいずれかに記載の画像形成装置。
【請求項８】
前記制御部は、前記原稿サイズ検知部によって検知された原稿サイズの縦横の寸法が、前記手差しトレイで検知された用紙の縦横の寸法サイズ以下の場合はそのまま出力し、前記検知された原稿サイズの縦横の寸法が、前記手差しトレイで検知された用紙の縦横の寸法サイズより大きい場合は、前記表示部に警告を表示させる請求項７に記載の画像形成装置。
【請求項９】
前記制御部は、前記原稿サイズ検知部によって検知された原稿サイズの縦横の寸法のいずれかの値Ａが、前記手差しトレイで検知された用紙の縦横の寸法サイズの値Ｂより大きい場合であって、値Ｂ／値Ａの比が予め定められた値より小さい場合は、前記表示部に警告を表示させ、
前記原稿サイズ検知部によって検知された原稿サイズの縦横の寸法のいずれかの値Ａが、前記手差しトレイで検知された用紙の縦横の寸法サイズより大きい場合であっても、当該値Ｂ／値Ａの比が予め定められた値以上の場合は、そのまま前記画像形成部に画像形成させる請求項８に記載の画像形成装置。
【発明の詳細な説明】
【技術分野】
【０００１】
本発明は、画像形成装置に関し、特に、原稿サイズに応じた画像形成技術に関する。
【背景技術】
【０００２】
コピー機、ファクシミリ装置、及び複合機等の画像形成装置においては、給紙搬送機構として手差しトレイが設けられている。当該画像形成装置では、手差しトレイには、給紙及び搬送のしやすさから、用紙が中央揃えにして載置され、この状態から給紙及び搬送されるものがある。一方、画像形成装置において、原稿載置ガラスに載置された原稿を原稿読取部に読み取らせる場合、原稿の角を原稿載置ガラスの隅、例えば左上隅に位置決めして原稿を載置することが多い。
【０００３】
そのような画像形成装置において、例えば、定形外サイズの原稿を、同じ定形外サイズの用紙に複写しようとして、例えば、手差しトレイの用紙サイズの設定を変えずに設定よりも小さいサイズの用紙を手差しトレイに補給した場合、制御部は、原稿載置ガラスに載置された原稿のサイズが手差しトレイに設定されている用紙サイズと同じであるとみなしてその原稿を原稿読取部に読み取らせ、実際の原稿サイズよりも大きなサイズの画像を生成することがある。そのように生成された画像を、手差しトレイに補給された設定よりも小さいサイズの用紙に印刷すると、画像の一部が用紙から逸脱して原稿が正しく印刷されないことがある。
【０００４】
そのような不具合を避けるために、下記特許文献１では、定形外サイズの原稿を同じ定形外サイズの用紙に複写する場合に、原稿画像の用紙への位置ずれを防止するために、事前に試しコピー印刷を実行する技術が示されている。
【先行技術文献】
【特許文献】
【０００５】
【特許文献１】特開２００３−３１９１２９号公報
【発明の概要】
【発明が解決しようとする課題】
【０００６】
しかしながら、上記特許文献１のように試しコピー印刷を実行すると用紙が無駄に消費されてしまうという問題がある。また、試しコピー印刷の結果、位置ずれ等が発見された場合、原稿の載置位置を変更したり、手差しトレイに用紙を補給し直す等の手間がかかってしまう。
【０００７】
そのような不便さをなくすには、手差しトレイの用紙サイズを正しいサイズに変更してから原稿の複写を実行すればよいが、用紙が定形外サイズである場合には操作者がわざわざ用紙の縦及び横のサイズを画像形成装置に入力する必要があり、利便性に欠ける。
【０００８】
本発明は、上記の問題を解決するためになされたもので、手差しトレイの用紙サイズの設定を変更することなく定形外サイズの原稿を、同じ定形外サイズの用紙に、正確に画像形成可能にすることを目的とする。
【課題を解決するための手段】
【０００９】
本発明の一局面に係る画像形成装置は、原稿載置ガラスの隅に角を合わせて載置された原稿の画像を光学的に読み取る原稿読取部と、
用紙が用紙搬送方向に対する幅方向における中央揃えで載置可能とされている手差しトレイと、
前記手差しトレイから給紙された用紙に前記画像のトナー像を形成する画像形成動作を行う画像形成部と、
前記手差しトレイ上に載置された前記用紙の前記幅方向中央部を、前記画像形成部により画像形成が行われる領域の前記幅方向中央部に揃えて搬送する用紙搬送部と、
前記原稿読取部による読み取り信号に基づいて、前記原稿載置ガラスに載置された原稿の原稿サイズを検知する原稿サイズ検知部と、
前記原稿サイズ検知部によって検知された原稿サイズと同じ読取サイズで前記原稿読取部に前記原稿を読み取らせる原稿サイズ読取動作を行わせ、当該読取で得られた画像を、前記用紙搬送部によって搬送されてくる前記用紙に対して、当該用紙と前記幅方向端部を揃えて、前記画像形成部に画像形成させる制御部と、を備えたものである。
【発明の効果】
【００１０】
本発明によれば、手差しトレイの用紙サイズの設定を変更することなく定形外サイズの原稿を、同じ定形外サイズの用紙に、正確に画像形成することができる。
【図面の簡単な説明】
【００１１】
【図１】本発明の一実施形態に係る画像形成装置の構造を示す正面断面図である。
【図２】原稿載置ガラスに原稿を載置した様子を示す平面図である。
【図３】手差しトレイに用紙を補給した様子を示す平面図である。
【図４】画像形成装置の主要内部構成を示す機能ブロック図である。
【図５】原稿載置ガラスに載置された原稿を手差しトレイの用紙に複写する処理のフローチャートである。
【図６】原稿サイズ読取動作を行わない場合の状態を説明する図であり、（Ａ）は手差しトレイ上に用紙が載置されている状態を示す図、（Ｂ）は原稿載置ガラス上に原稿が載置されている状態を示す図、（Ｃ）は画像形成後の用紙の状態を示す図である。
【図７】原稿サイズ読取動作を行う場合の状態を説明する図であり、（Ａ）は手差しトレイ上に用紙が載置されている状態を示す図、（Ｂ）は原稿載置ガラス上に原稿が載置されている状態を示す図、（Ｃ）は画像形成後の用紙の状態を示す図である。
【発明を実施するための形態】
【００１２】
以下、本発明の一実施形態に係る画像形成装置について図面を参照して説明する。図１は、本発明の一実施形態に係る画像形成装置の構造を示す正面断面図である。
【００１３】
本発明の一実施形態に係る画像形成装置１は、例えば、コピー機能、プリンター機能、スキャナー機能、及びファクシミリ機能のような複数の機能を兼ね備えた複合機である。画像形成装置１は、装置本体１１に、操作部４７、画像形成部１２、定着部１３、給紙部１４、原稿給送部６、及び原稿読取部５等を備えて構成されている。
【００１４】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。
【００１５】
画像形成装置１が原稿読取動作を行う場合、原稿給送部６により給送されてくる原稿、又は原稿載置ガラス１６１に載置された原稿の画像を原稿読取部５が光学的に読み取り、画像データを生成する。原稿読取部５により生成された画像データは内蔵ＨＤＤ又はネットワーク接続されたコンピューター等に保存される。
【００１６】
画像形成装置１が画像形成動作を行う場合は、上記原稿読取動作により生成された画像データ、又はネットワーク接続されたコンピューターから受信した画像データ、又は内蔵ＨＤＤに記憶されている画像データ等に基づいて、画像形成部１２が、給紙部１４から給紙される記録媒体としての用紙Ｐにトナー像を形成する。カラー印刷を行う場合、画像形成部１２のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋは、それぞれに、上記画像データを構成するそれぞれの色成分からなる画像に基づいて、帯電、露光、及び現像の工程により感光体ドラム１２１上にトナー像を形成し、当該トナー像を一次転写ローラー１２６により中間転写ベルト１２５上に転写させる。
【００１７】
中間転写ベルト１２５上に転写される上記各色のトナー画像は、転写タイミングを調整して中間転写ベルト１２５上で重ね合わされ、カラーのトナー像となる。二次転写ローラー２１０は、中間転写ベルト１２５の表面に形成された当該カラーのトナー像を、中間転写ベルト１２５を挟んで駆動ローラー１２５ａとのニップ部Ｎにおいて、給紙部１４から搬送路１９０を搬送されてきた用紙Ｐに転写させる。この後、定着部１３が、用紙Ｐ上のトナー像を、熱圧着により用紙Ｐに定着させる。定着処理の完了したカラー画像形成済みの用紙Ｐは、排出トレイ１５１に排出される。
【００１８】
給紙部１４は、手差しトレイ１４１及び複数の給紙カセットを備える。操作者から用紙のサイズが指定されると、当該サイズの用紙が収容された給紙カセットのピックアップローラー１４５が回転駆動して、各給紙カセットに収容されている用紙Ｐを上記ニップ部Ｎに向けて搬送する。
【００１９】
なお、画像形成装置１において、両面印刷を行う場合は、画像形成部１２より一方の面に画像が形成された用紙Ｐを、排出ローラー対１５９にニップされた状態とした後、当該用紙Ｐを排出ローラー対１５９によりスイッチバックさせて反転搬送路１９５に送り、搬送ローラー対１９により、上記ニップ部Ｎ及び定着部１３に対して用紙Ｐの搬送方向上流域に再度搬送する。これにより、画像形成部１２により当該用紙の他方の面に画像が形成される。
【００２０】
図２は、原稿載置ガラス１６１に原稿Ｄを載置した様子を示す平面図である。図３は、手差しトレイ１４１に用紙Ｐを補給した様子を示す平面図である。
【００２１】
図２に示すように、本実施形態では、原稿Ｄは、サイズの大小にかかわらず、読み取り面を下にして原稿載置ガラス１６１の左上隅に角を合わせて載置され、この状態を基本として原稿に対する読取領域を定めて読取動作が行われる。
【００２２】
手差しトレイ１４１には用紙Ｐの幅を規制する一組の幅ガイド１４２が設けられている。幅ガイド１４２は、用紙搬送方向に対して直交する方向である幅方向の中心軸に対して対称に当該幅方向に移動可能とされている。すなわち、手差しトレイ１４１に補給された用紙Ｐは、当該幅方向におけるサイズの大小にかかわらず、用紙搬送方向に対する幅方向の中央揃えで給紙される。
【００２３】
後述する原稿サイズ読取動作を行わずに手差しトレイ１４１を使用する場合は、操作者は手差しトレイ１４１の用紙サイズ及び用紙種類の設定（手差し設定）を例えば操作部４７の操作により行う必要がある。なお、Ａ３、Ａ４、Ａ５、Ｂ４等の各定形サイズは、上記幅ガイド１４２の幅方向位置に基づいて制御部１００が算出して設定することも可能である。これ以外に、定形外サイズ（カスタムサイズ）も制御部１００に設定することができる。この場合、定形外サイズの用紙Ｐを使用する場合、操作者が操作部４７を操作して、当該用紙Ｐの縦及び横のサイズを示す数値を入力する。
【００２４】
図４は、画像形成装置１の主要内部構成を示す機能ブロック図である。画像形成装置１は、制御ユニット１０、操作部４７、原稿給送部６、原稿読取部５、画像メモリー３２、画像形成部１２、定着部１３、駆動モーター７０、ファクシミリ通信部７１、ネットワークインターフェイス部９１、及びＨＤＤ９２等を備える。
【００２５】
原稿読取部５は、制御ユニット１０による制御の下、光照射部及びＣＣＤセンサー等を有する読取機構１６３（図１）を備える。原稿読取部５は、光照射部により原稿を照射し、その反射光をＣＣＤセンサーで受光することにより、原稿から画像を読み取る。
【００２６】
画像メモリー３２は、原稿読取部５による読取で得られた原稿画像のデータを一時的に記憶したり、画像形成部１２のプリント対象となるデータを一時的に保存する領域である。
【００２７】
ファクシミリ通信部７１は、図略の符号化／復号化部、変復調部及びＮＣＵ（Network Control Unit）を備え、公衆電話回線網を用いてのファクシミリの送信を行うものである。
【００２８】
ネットワークインターフェイス部９１は、ＬＡＮボード等の通信モジュールから構成され、当該ネットワークインターフェイス部９１に接続されたＬＡＮ等を介して、ローカルエリア内又はインターネット上のコンピューター２０等と種々のデータの送受信を行う。なお、ネットワークインターフェイス部９１は、特許請求の範囲におけるデータ取得部の一例となる。
【００２９】
ＨＤＤ９２は、原稿読取部５によって読み取られた原稿画像等を記憶する大容量の記憶装置である。
【００３０】
駆動モーター７０は、画像形成部１２の各回転部材及び搬送ローラー対１９等に回転駆動力を付与する駆動源である。
【００３１】
制御ユニット１０は、ＣＰＵ(Central Processing Unit)、ＲＡＭ、ＲＯＭ及び専用のハードウェア回路等から構成され、画像形成装置１の全体的な動作制御を司る。制御ユニット１０は、制御部１００、原稿サイズ検知部１０１、設定切換部１０３、及び代替給紙元受付部１０４を備える。
【００３２】
なお、制御ユニット１０は、ＨＤＤ９２にインストールされているコンピュータープログラムに従った動作により、制御部１００、原稿サイズ検知部１０１、設定切換部１０３、及び代替給紙元受付部１０４として機能する。但し、当該制御部１００、原稿サイズ検知部１０１、設定切換部１０３、及び代替給紙元受付部１０４は、制御ユニット１０によるコンピュータープログラムに従った動作によらず、それぞれハード回路により構成することも可能である。
【００３３】
制御部１００は、画像形成装置１の全体的な動作制御を司る。制御部１００は、操作部４７、原稿給送部６、原稿読取部５、画像メモリー３２、画像形成部１２、定着部１３、駆動モーター７０、ファクシミリ通信部７１、ネットワークインターフェイス部９１、及びＨＤＤ９２等と接続され、これら各部の制御を行う。また、制御部１００は、手差しトレイ１４１に載置して給紙に用いる用紙の用紙サイズの設定を受け付ける。
【００３４】
原稿サイズ検知部１０１は、原稿読取部５による読み取り信号に基づいて、原稿載置ガラス１６１に載置された原稿Ｄの原稿サイズを検知する。
【００３５】
設定切換部１０３は、操作者による操作部４７の操作に基づいて、上記原稿サイズ読取動作を行わせるか否かを切り換える。例えば、設定切換部１０３が上記原稿サイズ読取動作を行わせる設定としている場合に、制御部１００は、原稿サイズ検知部１０１によって検知された原稿サイズに対応する読取サイズで原稿Ｄを読み取らせる原稿サイズ読取動作を原稿読取部５に行わせる。更に、この場合、制御部１００は、当該原稿サイズ読取動作時、画像形成部１２にコピー動作の実行を許可し、プリンター動作及びファクシミリ動作を禁止する。
【００３６】
代替給紙元受付部１０４は、複数の給紙元、例えば、給紙カセット１４０１〜１４０３、手差しトレイ１４１から、用紙切れ時の代替給紙元としての給紙元の指定を受け付ける。制御部１００は、代替給紙元受付部１０４により手差しトレイ１４１が代替給紙元として受け付けられており、画像形成動作時に当該代替給紙元が用いられる場合には、原稿読取部５に上記の原稿サイズ読取動作を行わせる。
【００３７】
画像処理部３５は、給紙される用紙の大きさに合わせた自動変倍処理を実行する。
【００３８】
次に、原稿載置ガラス１６１に載置された原稿Ｄを手差しトレイ１４１の用紙Ｐに複写（コピー）する処理について説明する。図５は、原稿載置ガラス１６１に載置された原稿Ｄを手差しトレイ１４１の用紙Ｐに複写する処理のフローチャートである。
【００３９】
ここで、設定切換部１０３により、上記原稿サイズ読取動作を行わせるように切り換えているものとする。これにより、制御部１００による制御の下、上述した原稿サイズ読取動作が開始される。
【００４０】
また、手差しトレイ１４１には、用紙Ｐの搬送方向に直交する方向である幅方向における中央揃えで当該用紙Ｐが載置されている。用紙搬送部は、このように、手差しトレイ１４１上に載置された用紙Ｐの幅方向中央部を、画像形成部１２により画像形成が行われる領域の当該幅方向中央部に揃えて搬送する。
【００４１】
まず、原稿載置ガラス１６１に原稿Ｄが載置され、制御部１００が、原稿押さえとしての原稿カバー（原稿給送部６の下面部）が閉じられることを検知すると、原稿サイズ検知部１０１は、原稿載置ガラス１６１の下方において主走査方向及び副走査方向の各位置に配設された光学センサーからの出力信号を用いて、公知の方法により、原稿載置ガラス１６１上に載置された原稿Ｄの原稿サイズを検知する（Ｓ１）。
【００４２】
その後、操作者が操作部４７を通じて、原稿載置ガラス１６１上の原稿Ｄを手差しトレイ１４１の用紙Ｐに複写する指示を入力し、これが制御部１００に受け付けられると（Ｓ２でＹＥＳ）、制御部１００は原稿サイズ検知部１０１によって検知された原稿サイズと同じ読取サイズで原稿読取部５に原稿載置ガラス１６１上の原稿Ｄを読み取らせる（Ｓ３）。すなわち、制御部１００は、特に、副走査方向において、上記検知された原稿サイズが示す原稿端部に対応する位置まで原稿読取部５を移動させながら、原稿載置ガラス１６１上の原稿Ｄの画像を読み取らせる。画像処理部３５は、原稿読取部５による上記読取で得られた画像データを用いて、上記検知された原稿サイズの示す領域での画像データを生成する。
【００４３】
そして、制御部１００は、搬送ローラー対１９及びピックアップローラー１４５とそれらの駆動機構を備える用紙搬送部により、手差しトレイ１４１上の用紙Ｐを画像形成部１２に向けて搬送させる（Ｓ４）。
【００４４】
画像形成部１２は、手差しトレイ１４１から給紙された用紙Ｐに、原稿読取部５によって読み取られた画像のトナー像を形成し、更に、定着部１３が当該用紙Ｐ上のトナー像を熱圧着により用紙Ｐに定着させて、原稿Ｄが用紙Ｐへと複写される（Ｓ５）。このとき、制御部１００は、Ｓ３の読取動作で得られた画像を、用紙搬送部によって搬送されてくる用紙Ｐに対して、当該用紙Ｐと上記幅方向端部を揃えて、画像形成部１２により画像形成させる。
【００４５】
ここで、操作者が用紙Ｐとして、原稿Ｄと同サイズの用紙Ｐを手差しトレイ１４１に載置しておけば、上記のように制御部１００は、原稿サイズ検知部１０１によって検知された原稿サイズと同じ読取サイズで原稿読取部５に原稿Ｄを読み取らせているので、原稿Ｄの画像が用紙Ｐから逸脱することなく用紙Ｐ上に正しく印刷される。
【００４６】
上記原稿サイズ読取動作によらずに手差しトレイ１４１から給紙される用紙Ｐに画像形成を行う場合の例を説明する。例えば、図６（Ａ）に示すように、手差しトレイ１４１の用紙サイズが、例えば操作者により「Ａ４縦」として制御部１００に設定されているとすると、操作者が設定を変更しない限り用紙サイズはそのまま維持されることになる。このように、手差しトレイ１４１の用紙サイズがＡ４サイズに設定されている場合において、図６（Ｂ）に示すように、Ａ４サイズよりも小さく原稿Ｄと同じサイズの定形外の用紙Ｐを、画像形成用の用紙として用いるために、操作者が手差しトレイ１４１に載置すると、原稿載置ガラス１６１上に載置された原稿Ｄの原稿サイズや実際の用紙Ｐサイズに拘わらず、制御部１００は、手差しトレイ１４１からは、設定されているＡ４サイズの用紙Ｐが給紙されるものとして、原稿読取動作、画像形成動作、給紙動作等を行わせる。すなわち、制御部１００は、上記の原稿サイズ読取動作によらない場合、手差しトレイ１４１で設定された用紙サイズと同じ読取サイズで、原稿読取部５に原稿載置ガラス１６１上に載置された原稿Ｄの画像を読み取らせる。このため、図６（Ｃ）に示すように、読み取られた原稿Ｄの画像は、用紙Ｐ上にずれて画像形成されてしまう。
【００４７】
しかしながら、本実施形態では、制御部１００により、例えばコピー動作としての画像形成時には、手差しトレイ１４１に載置された用紙Ｐのサイズに拘わらず、原稿サイズ検知部１０１によって検知された原稿サイズと同じ読取サイズで、原稿読取部５に原稿Ｄを読み取らせる原稿サイズ読取動作が行われる。
【００４８】
当該原稿サイズ読取動作により、手差しトレイ１４１から給紙される用紙Ｐに画像形成を行う場合の例を説明する。例えば、図７（Ｂ）に示すように、原稿載置ガラス１６１上に定形外サイズの原稿Ｄが載置されているとする。本実施形態における原稿サイズ読取動作では、この時点で手差しトレイ１４１に載置されている用紙Ｐが定形外サイズであったとしても（図７（Ａ）参照）、その用紙サイズに拘わらず、制御部１００により、原稿載置ガラス１６１上に載置された原稿Ｄの原稿サイズが示す読取サイズで原稿読取動作が行われ、この読取で得られた画像を用いて、手差しトレイ１４１に載置されている用紙Ｐに対して、給紙動作及び画像形成動作等が行われる。このため、図７（Ｃ）に例を示すように、定形外の原稿Ｄであっても、手差しトレイ１４１に同サイズの定形外の用紙Ｐを載置しておけば、当該定形外サイズの用紙Ｐからはみ出たり、位置ずれを生じることなく、原稿読取部５によって読み取られた原稿Ｄの画像が正確に画像形成される。
【００４９】
以上のように、本実施形態によれば、手差しトレイ１４１に載置された用紙Ｐのサイズに拘わらず、原稿サイズ検知部１０１によって検知された原稿サイズと同じ読取サイズで、原稿読取部５に原稿Ｄを読み取らせる原稿サイズ読取動作が行われるので、操作者は、定形外サイズの原稿Ｄを、手差しトレイ１４１に載置した用紙Ｐに複写する場合には、用紙Ｐのサイズを入力しなくても、定形外サイズの原稿Ｄを同じ定形外サイズの用紙Ｐに、位置ずれ等を生じさせずに正確に複写可能になる。これにより、操作者が定形外サイズの用紙Ｐを一時的に使用しようとして手差しトレイ１４１に補給する際における操作者の利便性を向上させることができる。
【００５０】
なお、上記実施形態では、原稿サイズ検知部１０１が原稿載置ガラス１６１上に載置された原稿Ｄの原稿サイズを検知したときは（Ｓ１）、当該検知された原稿サイズに拘わらず、制御部１００は、当該検知された原稿サイズと同じ読取サイズで原稿読取部５に原稿載置ガラス１６１上の原稿Ｄを読み取らせるようにしているが（Ｓ３）、制御部１００は、当該検知された原稿サイズが、Ａ４，Ｂ５等の定型サイズのいずれか１つを示していることを条件として、当該検知された原稿サイズと同じ読取サイズで原稿読取部５に原稿載置ガラス１６１上の原稿Ｄを読み取らせて（Ｓ３）、続けてＳ４以降の処理を行うようにしてもよい。
【００５１】
なお、本実施形態によれば、次に示す実施も可能である。例えば、手差しトレイ１４１がＡ３、Ａ４、Ａ５、Ｂ４等の定形の用紙サイズを検知する機構を有し、当該機構によるサイズ検知結果が制御部１００に入力される場合は、ステップＳ１の後、制御部１００は、手差しトレイ１４１の上記機構によって検知された用紙サイズと原稿サイズ検知部１０１によって検知された原稿サイズとを比較し、両者が異なれば（例えば、手差しトレイ１４１がＡ３を検知し、原稿サイズ検知部１０１がＡ５を検知した場合等）、表示部４７３に警告を表示するようにしてもよい。これにより、手差しトレイ１４１から、予め設定されている用紙サイズと異なるサイズの用紙Ｐが給紙されることを防ぎ、操作者に正しい用紙サイズを設定するように促すことができる。
【００５２】
また、このように手差しトレイ１４１の上記機構によって検知された用紙サイズと原稿サイズ検知部１０１によって検知された原稿サイズとが異なる場合において、さらに、制御部１００は、原稿サイズ検知部１０１によって検知された原稿サイズの縦横の寸法が、手差しトレイ１４１の上記機構によって検知された用紙の縦横の寸法サイズ以下の場合はそのまま出力し、当該検知された原稿サイズの縦横の寸法が、当該検知された用紙の縦横の寸法サイズより大きい場合は、表示部４７３に警告を表示させるようにしてもよい。これによれば、原稿サイズ通りの大きさでの画像形成が実施されない場合に絞って、操作者に警告を行うことが可能になる。
【００５３】
また、このように、上記原稿サイズ検知部１０１によって検知された原稿サイズの縦横の寸法が、上記手差しトレイ１４１の上記機構によって検知された用紙サイズより大きい場合において、更に、制御部１００は、次の制御を行ってもよい。例えば、制御部１００は、原稿サイズ検知部１０１によって検知された原稿サイズの縦横の寸法のいずれかの値Ａが、手差しトレイ１４１の上記機構によって検知された用紙サイズの縦横の寸法サイズの値Ｂより大きい場合であって、値Ｂ／値Ａの比が予め定められた値より小さい場合に、表示部４７３に警告を表示させる。他方、制御部１００は、原稿サイズ検知部１０１によって検知された原稿サイズの縦横の寸法のいずれかの値Ａが、手差しトレイ１４１の上記機構によって検知された用紙サイズの縦横の寸法サイズより大きい場合であっても、当該値Ｂ／値Ａの比が予め定められた値以上の場合は、上記警告を行わせず、そのまま画像形成部１２に画像形成させる。これにより、原稿サイズ通りの大きさでの画像形成が実施されない場合であっても、多少のサイズ相違に留まって画像形成される場合には操作者に警告を行わず、大きくサイズが異なって画像形成される場合に絞って、操作者に警告を行うことが可能になる。
【００５４】
また、制御部１００は、設定切換部１０３が上記原稿サイズ読取動作を行わせる設定としている場合には、画像形成部１２にコピー動作の実行を許可し、プリンター動作及びファクシミリ動作を禁止するようにしてもよい。プリンター動作及びファクシミリ動作には、定形外サイズの原稿や用紙が用いられることが少なく、上記本実施形態に係る定形外サイズを想定した制御を行うことにより誤動作等を生じさせるおそれがあるが、当該禁止制御によれば、当該誤動作を回避することができる。
【００５５】
また、制御部１００が、代替給紙元受付部１０４により手差しトレイ１４１が代替給紙元として受け付けられており、画像形成動作時に当該代替給紙元が用いられる場合には、原稿読取部５に上記原稿サイズ読取動作を行わせるようにしてもよい。これによれば、定形外サイズの用紙搬送を予定していない給紙元からの給紙に基づいては上記原稿サイズ読取動作が行われないため、定形外サイズを想定した制御を行うことによる誤動作等が回避される。
【００５６】
また、制御部１００は、設定切換部１０３が上記原稿サイズ読取動作を行わせる設定としている場合には、操作者からの指示に拘わらず、画像形成部１２への給紙元を手差しトレイ１４１に切り換えるようにしてもよい。この場合も、定形外サイズを想定した制御を行うことによる誤動作等が回避される。
【００５７】
また、上記画像処理部３５が、給紙される用紙の大きさに合わせた自動変倍処理を実行するものとし、制御部１００は、原稿サイズ読取動作、又は、画像処理部３５による自動変倍処理のいずれかを排他的に実行するものとしてもよい。
【００５８】
なお、本発明は上記実施の形態の構成に限られず種々の変形が可能である。また、上記実施形態では、本発明に係る画像形成装置の一実施形態として複合機を用いて説明しているが、これは一例に過ぎず、コピー機、ファクシミリ装置等の他の画像形成装置でもよい。
【００５９】
また、図１乃至図７を用いて上記実施形態により示した構成及び処理は本発明の一実施形態に過ぎず、本発明を当該構成及び処理に限定する趣旨ではない。
【符号の説明】
【００６０】
１        画像形成装置
５        原稿読取部
１６１    原稿載置ガラス
１２      画像形成部
１３      定着部
１００    制御部
１０１    原稿サイズ検知部
１０３    設定切換部
１０４    代替給紙元受付部
１４１    手差しトレイ
４７３    表示部
Ｄ        原稿
Ｐ        用紙
【図１】
2016127400.tif 000003
【図２】
2016127400.tif 000004
【図３】
2016127400.tif 000005
【図４】
2016127400.tif 000006
【図５】
2016127400.tif 000007
【図６】
2016127400.tif 000008
【図７】
2016127400.tif 000009